(57)【特許請求の範囲】
【請求項１】
位相格子であるＧ１格子と、
吸収格子であるＧ２格子と、
Ｘ線をコーンビーム状に照射するＸ線発生装置と、
モアレ画像を撮影するＸ線検出器と、
被写体を撮影位置に配置する被写体台と、
を備えるＸ線タルボ撮影装置において、
前記被写体台は、前記Ｇ１格子と前記Ｇ２格子との間に配置され、
前記Ｇ１格子は、前記Ｘ線発生装置から前記Ｇ２格子のスリットが形成された部分に照射されるＸ線を遮らない位置に退避可能とされていることを特徴とするＸ線タルボ撮影装置。
【請求項２】
位相格子であるＧ１格子と、
Ｘ線をコーンビーム状に照射するＸ線発生装置と、
モアレ画像を撮影するＸ線検出器と、
被写体を撮影位置に配置する被写体台と、
を備えるＸ線タルボ撮影装置において、
前記被写体台は、前記Ｇ１格子と前記Ｘ線検出器との間に配置され、
前記Ｘ線検出器は、照射されたＸ線を別の波長の電磁波に変えて変換素子に照射するシンチレーターを備えており、
前記Ｘ線検出器の前記シンチレーターは、前記Ｇ１格子の自己像が像を結ぶ位置に配置されており、かつ、シンチレーター素材と非シンチレーター素材とが面方向に交互に形成されており、
前記Ｇ１格子は、前記Ｘ線発生装置から前記Ｘ線検出器の前記シンチレーターに照射されるＸ線を遮らない位置に退避可能とされていることを特徴とするＸ線タルボ撮影装置。
【請求項３】
さらに、線源格子であるＧ０格子を備えることを特徴とする請求項１または請求項２に記載のＸ線タルボ撮影装置。
【請求項４】
前記Ｇ１格子は、当該Ｇ１格子の面方向に移動されることで、前記位置に退避可能とされていることを特徴とする請求項１から請求項３のいずれか一項に記載のＸ線タルボ撮影装置。
【請求項５】
前記Ｇ１格子は、前記Ｘ線発生装置から照射されるＸ線の照射方向に直交する軸を中心に回動されることで、前記位置に退避可能とされていることを特徴とする請求項１から請求項３のいずれか一項に記載のＸ線タルボ撮影装置。
【請求項６】
前記Ｇ１格子は、前記Ｘ線発生装置に向かう方向に回動されることを特徴とする請求項５に記載のＸ線タルボ撮影装置。
【請求項７】
前記Ｇ１格子は、前記Ｘ線発生装置から照射されるＸ線の照射方向に平行な軸を中心に回動されることで、前記位置に退避可能とされていることを特徴とする請求項１から請求項３のいずれか一項に記載のＸ線タルボ撮影装置。
【請求項８】
前記Ｇ１格子は、矩形状に形成された当該Ｇ１格子の角部を中心に回動されることを特徴とする請求項７に記載のＸ線タルボ撮影装置。
【請求項９】
Ｘ線を照射して撮影を行う前に前記被写体に可視光を照射するための照射野ランプを備え、
前記Ｇ１格子および前記照射野ランプは、前記Ｘ線発生装置から照射されるＸ線の照射方向に平行な回動軸から互いに反対側に突出するように取り付けられており、
前記Ｇ１格子および前記照射野ランプが前記回動軸を中心に回動されることで、前記Ｘ線発生装置から照射されるＸ線を遮らない位置への前記Ｇ１格子の退避動作および可視光を照射可能な位置への前記照射野ランプの投入動作と、前記Ｘ線発生装置から照射されるＸ線が照射される位置への前記Ｇ１格子の投入動作および前記Ｘ線発生装置から照射されるＸ線を遮らない位置への前記照射野ランプの退避動作とがそれぞれ同時に行われるように構成されていることを特徴とする請求項１から請求項３のいずれか一項に記載のＸ線タルボ撮影装置。
【請求項１０】
前記被写体台は、前記Ｇ１格子の方向に移動可能とされていることを特徴とする請求項１から請求項９のいずれか一項に記載のＸ線タルボ撮影装置。
【請求項１１】
少なくとも前記Ｘ線発生装置からＸ線を照射して被写体のポジショニングを行うプレ撮影時に、前記Ｇ１格子が前記位置に退避されることを特徴とする請求項１から請求項１０のいずれか一項に記載のＸ線タルボ撮影装置。
【発明の詳細な説明】
【技術分野】
【０００１】
本発明は、タルボ干渉計やタルボ・ロー干渉計を用いたＸ線タルボ撮影装置に関する。
【背景技術】
【０００２】
Ｘ線が物体を透過するときに生じるＸ線の位相シフトを捉えて画像化する、タルボ（Talbot）干渉計やタルボ・ロー（Talbot-Lau）干渉計とＸ線検出器（Flat Panel Detector：ＦＰＤ）とを用いたＸ線画像撮影装置が知られている（例えば特許文献１、非特許文献１等参照）。なお、以下では、このようなタルボ干渉計やタルボ・ロー干渉計等を用いたＸ線画像撮影装置を、Ｘ線タルボ撮影装置という。
【０００３】
Ｘ線タルボ撮影装置は、一定の周期でスリットが設けられたＧ１格子（位相格子）とＧ２格子（吸収格子）を備え（タルボ・ロー干渉計を用いる場合にはさらに線源格子であるＧ０格子を備え）、Ｘ線源からＧ１格子にＸ線を照射することによりＧ１格子のＸ線照射方向下流側でＧ１格子の自己像が一定周期で結ばれる位置にＧ２格子を配置し、このＧ２格子におけるスリットの延在方向をＧ１格子におけるスリットの延在方向に対してわずかに傾けるようにＧ２格子を配置することで、Ｇ２格子上にモアレ縞を形成させる。そして、このモアレ縞が重畳された画像（以下、これをモアレ画像という。）をＧ２格子の下流側に配置したＸ線検出器で検出して撮影するように構成される。
【０００４】
そして、Ｘ線源（或いはＧ０格子）とＧ１格子との間やＧ１格子とＧ２格子との間に被写体を配置すると、被写体によりモアレ縞に歪みが生じる。そのため、Ｘ線タルボ撮影装置で、Ｇ１格子とＧ２格子とを相対的に移動させながら複数枚のモアレ画像を撮影し（縞走査法）、画像処理において、それらのモアレ画像を再構成することで微分位相画像や吸収画像、小角散乱画像等の再構成画像を生成することができる。また、被写体が存在する状態で、Ｘ線タルボ撮影装置でモアレ画像を１枚撮影し、画像処理において、そのモアレ画像をフーリエ変換する等して微分位相画像等の再構成画像を再構成して生成することも可能である（フーリエ変換法）。
【０００５】
そして、Ｘ線タルボ撮影装置では、例えば図１３に矢印で示すように、上記のようにして撮影したモアレ画像を再構成して生成した微分位相画像中に、従来、吸収画像では撮影することができなかった関節の軟骨の端部（正確には関節の軟骨とのその周囲の関節液との界面。以下同じ。）を撮影することができるという特徴がある。また、図示を省略するが、微分位相画像中に、関節の軟骨だけでなく、例えばアキレス腱等の腱や、腫瘤等の人体の軟部組織を撮影することも可能である。
【０００６】
ところで、Ｘ線タルボ撮影装置のＧ１格子（位相格子）やＧ２格子（吸収格子）には、後述する図１や図２等に示すようにスリットＳが設けられ、その格子周期ｄ（図２参照）は例えば５．３μｍ等とされる。そして、スリットＳの格子周期ｄをμｍオーダーで精度良く形成することができる等の理由で、Ｇ１格子やＧ２格子等がシリコンウェハを用いて形成される場合が少なくない。
【０００７】
しかし、現状では、形成できるシリコンウェハの径に限界があり、Ｇ１格子やＧ２格子を矩形状に形成する場合、最大でも十数ｃｍ角程度にしか製造できない。そして、このようにＧ１格子やＧ２格子を十数ｃｍ角程度にしか製造できないと、Ｇ２格子の近傍に配置されるＸ線検出器で撮影できる画像（後述するモアレ画像Ｍｏ）も、最大でも十数ｃｍ角の画像にしかならない。そのため、例えば上記のようにＸ線タルボ撮影装置で患者の関節部分や軟部組織等を撮影する場合、せいぜい手指の関節部分等しか撮影できないことになり、患者の膝や肘、肩等のより大きな関節部分の軟骨や軟部組織等を撮影することが困難になる。
【０００８】
そのため、例えば、シリコンウェハ以外の材料を用いてＧ１格子やＧ２格子を形成し、或いは、例えば特許文献２等に記載されているように、シリコンウェハで形成した格子を複数つなぎあわせてＧ１格子やＧ２格子を形成することで、Ｇ１格子やＧ２格子を例えば３０ｃｍ角程度に大面積化（大サイズ化）する技術が種々開発されている。
【先行技術文献】
【特許文献】
【０００９】
【特許文献１】特開２００９−２４０３７８号公報
【特許文献２】特開２０１３−２５５５３６号公報
【非特許文献】
【００１０】
【非特許文献１】永島雅文、外７名，「関節軟骨の描出−微分干渉の原理を応用したＸ線撮影技術の可能性（第１４回臨床解剖研究会記録  ２０１０．９．１１）」，臨床解剖研究会記録，２０１１年２月，Ｎｏ１１，ｐ．５６−５７、［平成２７年１２月７日検索］、インターネット＜ URL : http://www.jrsca.jp/contents/records/＞
【発明の概要】
【発明が解決しようとする課題】
【００１１】
ところで、Ｘ線タルボ撮影装置が備えるＸ線発生装置が、Ｘ線をコーンビーム状に照射するＸ線発生装置の場合（すなわちＸ線発生装置から離れるほどＸ線が広がるように照射される場合）、Ｇ２格子よりもＸ線発生装置に近い側に配置されるＧ１格子は、Ｇ２格子よりも小さく（すなわちより小さい面積で）形成することができる。
【００１２】
そのため、Ｘ線をコーンビーム状に照射するＸ線発生装置を備えるＸ線タルボ撮影装置では、上記のように撮影される画像の面積を大きくするためにＧ２格子を大面積化（例えば３０ｃｍ角）するとしても、Ｇ１格子をも同程度に大面積化する必要はなく、格子の設計条件等によっては、例えば上記のような従来のシリコンウェハ製の小さい面積の格子を用いることができる。
【００１３】
その際、Ｘ線の広がり方や、求められるＧ２格子の面積（すなわち画像の大きさ）、Ｇ１格子の面積等にもよるが、例えば図１４に示すように、Ｘ線発生装置Ｆから大面積のＧ２格子にＸ線をコーンビーム状に照射するように構成すると、Ｇ１格子がＸ線発生装置Ｆに近い位置に配置されるようになる場合がある。
【００１４】
しかし、この場合、図１４に示すようにＸ線発生装置からＸ線を下向きに照射するＸ線タルボ撮影装置では（すなわちＸ線タルボ撮影装置がいわゆる縦型である場合には）、Ｇ１格子が、Ｘ線タルボ撮影装置が設置された撮影室等の床面から相当高い位置に配置される状態になる可能性がある。そして、その場合には、実際上、図１４に示すようにＧ１格子の上方に被写体Ｈである患者の関節部分等を配置することが困難な場合もある。
【００１５】
そのため、このような場合には、被写体Ｈを、Ｇ１格子とＧ２格子との間（図１４の場合にはＧ１格子の下側）に配置することが好ましい。そして、よく知られているように、このように、被写体Ｈを、Ｇ１格子とＧ２格子との間に配置する場合にも、Ｇ１格子のＸ線発生装置Ｆ側に配置する場合（すなわちＸ線発生装置ＦとＧ１格子との間（図１４の場合））と同様に、後述するタルボ効果を発生させることが可能である。
【００１６】
そのため、例えば後述する図３に示すように、被写体Ｈを、Ｇ１格子（位相格子）１４とＧ２格子１５との間に配置するＸ線タルボ撮影装置においても、被写体Ｈのモアレ画像を的確に撮影することが可能となる。そして、被写体ＨをＧ１格子１４とＧ２格子１５との間に配置する構成を採用するとしても、必ずしも上記のようにＧ２格子１５の大面積化（大サイズ化）を図る必要はないが、この構成を採用すれば、上記のように、Ｇ２格子１５の大面積化を図ることも可能となり、患者の手指の関節部分等よりも大きな膝や肘、肩等の関節部分の軟骨や軟部組織等を撮影することも可能となる。
【００１７】
しかし、本発明者らが研究を重ねた結果、Ｘ線タルボ撮影装置を実際に上記のように構成すると、種々の問題が生じ得ることが分かってきた。
【００１８】
本発明は、上記の点を鑑みてなされたものであり、被写体を、位相格子であるＧ１格子と吸収格子であるＧ２格子との間に配置するように構成する場合に発生し得る種々の問題を解消可能なＸ線タルボ撮影装置を提供することを目的とする。
【課題を解決するための手段】
【００１９】
前記の問題を解決するために、本発明のＸ線タルボ撮影装置は、
位相格子であるＧ１格子と、
吸収格子であるＧ２格子と、
Ｘ線をコーンビーム状に照射するＸ線発生装置と、
モアレ画像を撮影するＸ線検出器と、
被写体を撮影位置に配置する被写体台と、
を備えるＸ線タルボ撮影装置において、
前記被写体台は、前記Ｇ１格子と前記Ｇ２格子との間に配置され、
前記Ｇ１格子は、前記Ｘ線発生装置から前記Ｇ２格子のスリットが形成された部分に照射されるＸ線を遮らない位置に退避可能とされていることを特徴とする。
【００２０】
また、本発明のＸ線タルボ撮影装置は、
位相格子であるＧ１格子と、
Ｘ線をコーンビーム状に照射するＸ線発生装置と、
モアレ画像を撮影するＸ線検出器と、
被写体を撮影位置に配置する被写体台と、
を備えるＸ線タルボ撮影装置において、
前記被写体台は、前記Ｇ１格子と前記Ｘ線検出器との間に配置され、
前記Ｘ線検出器は、照射されたＸ線を別の波長の電磁波に変えて変換素子に照射するシンチレーターを備えており、
前記Ｘ線検出器の前記シンチレーターは、前記Ｇ１格子の自己像が像を結ぶ位置に配置されており、かつ、シンチレーター素材と非シンチレーター素材とが面方向に交互に形成されており、
前記Ｇ１格子は、前記Ｘ線発生装置から前記Ｘ線検出器の前記シンチレーターに照射されるＸ線を遮らない位置に退避可能とされていることを特徴とする。
【発明の効果】
【００２１】
本発明のような方式のＸ線タルボ撮影装置によれば、被写体を、位相格子であるＧ１格子と吸収格子であるＧ２格子との間に配置するように構成する場合に発生し得る種々の問題を的確に解消することが可能となる。
【図面の簡単な説明】
【００２２】
【図１】タルボ干渉計の原理を説明する図である。
【図２】Ｇ０格子やＧ１格子、Ｇ２格子の概略平面図である。
【図３】本実施形態に係るＸ線タルボ撮影装置の第１の実施例の全体構成を表す概略図である。
【図４】本実施形態に係るＸ線タルボ撮影装置の第２の実施例の全体構成を表す概略図である。
【図５】第２の実施例におけるＸ線検出器やシンチレーターの構成等を説明する図である。
【図６】（Ａ）シンチレーターの中央部にＸ線が入射した場合、（Ｂ）シンチレーター素材が垂直に形成されたシンチレーターの周縁部にＸ線が斜入した場合、および（Ｃ）第２の実施例でシンチレーターの周縁部にＸ線が斜入した場合を表す図である。
【図７】Ｇ１格子を退避させるための構成例１を表す図であり、（Ａ）Ｘ線が照射される位置にＧ１格子が投入された状態、（Ｂ）Ｇ１格子を退避させた状態を表す図である。
【図８】Ｇ１格子を退避させるための構成例２を表す図であり、（Ａ）Ｘ線が照射される位置にＧ１格子が投入された状態、（Ｂ）Ｇ１格子を退避させた状態を表す図である。
【図９】構成例２においてＧ１格子を（Ａ）Ｘ線発生装置から遠ざかる向きに回動させた状態、（Ｂ）Ｘ線発生装置に向かう方向に回動させた状態を表す図である。
【図１０】Ｇ１格子を退避させるための構成例３を表す図であり、（Ａ）Ｘ線が照射される位置にＧ１格子が投入された状態、（Ｂ）Ｇ１格子を退避させた状態を表す図である。
【図１１】構成例３においてＧ１格子の（Ａ）辺部を中心に９０°回動させた状態、（Ｂ）角部を中心に９０°回動させた状態を表す平面図である。
【図１２】Ｇ１格子を退避させるための構成例４を表す図であり、（Ａ）Ｘ線が照射される位置にＧ１格子が投入された状態、（Ｂ）Ｇ１格子を退避させた状態を表す図である。
【図１３】微分位相画像の例および関節の軟骨の端部を表す写真である。
【図１４】Ｘ線発生装置からＸ線をコーンビーム状に照射する場合に被写体をＧ１格子のＸ線発生装置側に配置するように構成した構成例を表す図である。
【発明を実施するための形態】
【００２３】
以下、本発明に係るＸ線タルボ撮影装置の実施の形態について、図面を参照して説明する。
【００２４】
［Ｘ線タルボ撮影装置の原理について］
まず、Ｘ線タルボ撮影装置の原理、すなわちＸ線タルボ撮影装置に用いられるタルボ干渉計やタルボ・ロー干渉計に共通する原理について、図１を用いて簡単に説明する。
【００２５】
なお、図１では、タルボ干渉計の場合が示されているが、タルボ・ロー干渉計の場合も基本的に同様に説明される。また、本実施形態に係るＸ線タルボ撮影装置１では、後述する図３に示すように、被写体ＨがＧ１格子１４とＧ２格子１５の間に配置されるが、原理的には、図１に示すように被写体ＨをＸ線発生装置１１とＧ１格子１４の間に配置する場合と全く同じであり、以下、図１に基づいて説明する。
【００２６】
タルボ干渉計では、Ｘ線発生装置１１と、位相格子であるＧ１格子１４と、吸収格子であるＧ２格子１５と、Ｘ線検出器１６が、図１に示すようにＸ線の照射方向（すなわちｚ方向）に順番に配置される。なお、タルボ・ロー干渉計の場合には、図１では図示を省略するが、Ｘ線発生装置１１の近傍に線源格子であるＧ０格子１２（後述する図３や図４等参照）が配置される。
【００２７】
図２に示すように、Ｇ１格子１４やＧ２格子１５には（タルボ・ロー干渉計の場合はＧ０格子１２にも）、Ｘ線の照射方向であるｚ方向と直交するｘ方向に、所定の周期ｄで複数のスリットＳが配列されて形成されている。なお、所定の周期ｄは、Ｇ１格子１４やＧ２格子１５、Ｇ０格子１２でそれぞれ異なる。
【００２８】
そして、Ｘ線発生装置１１から照射されたＸ線（タルボ・ロー干渉計の場合はＸ線発生装置１１から照射されたＸ線がＧ０格子１２で多光源化されたＸ線）がＧ１格子１４を透過すると、透過したＸ線がｚ方向に一定の間隔で像を結ぶ。この像を自己像（格子像等ともいう。）といい、このように自己像がｚ方向に一定の間隔をおいて形成される現象をタルボ効果という。
【００２９】
そして、図１等に示すように、Ｇ１格子１４の自己像が像を結ぶ位置に、Ｇ１格子１４と同様にスリットＳが設けられたＧ２格子１５を配置するが、その際、Ｇ２格子１５のスリットＳの延在方向（すなわち図１等ではｙ方向）が、Ｇ１格子１４のスリットＳの延在方向に対して僅かに角度を持つように配置する。そして、このように配置することで、Ｇ２格子１５上にモアレ縞のみからなるモアレ画像Ｍｏが現れる。
【００３０】
なお、図１では、モアレ画像ＭｏをＧ２格子１５上に記載するとモアレ縞とスリットＳとが混在する状態になって分かりにくくなるため、モアレ画像ＭｏをＧ２格子１５から離して記載しているが、実際にはＧ２格子１５上やその下流側でモアレ画像Ｍｏが形成される。
【００３１】
一方、被写体Ｈが存在すると、被写体ＨによってＸ線の位相がずれる。そのため、モアレ画像Ｍｏのモアレ縞の被写体の部分に乱れが生じ、Ｇ２格子１５上やその下流側に、図１に示すように被写体Ｈにより乱れが生じたモアレ画像Ｍｏが現れる。
【００３２】
以上が、タルボ干渉計やタルボ・ロー干渉計の原理である。そして、Ｇ２格子１５の下流側に配置されたＸ線検出器１６（後述する図３参照）で上記のモアレ画像Ｍｏを撮影するように構成される。そして、上記の原理に従ってＸ線タルボ撮影装置が構成される。
【００３３】
［Ｘ線タルボ撮影装置の第１の実施例について］
以下、上記の原理に基づいて構成される本実施形態に係るＸ線タルボ撮影装置の第１の実施例について説明する。
【００３４】
図３は、本実施形態に係るＸ線タルボ撮影装置の第１の実施例の全体構成を表す概略図である。なお、第１の実施例および後述する第２の実施例では、Ｘ線タルボ撮影装置１が、線源格子であるＧ０格子１２を備えるタルボ・ロー干渉計を用いたＸ線タルボ撮影装置である場合について説明するが、本発明はこれに限定されず、Ｇ０格子１２を備えず、Ｇ１格子１４とＧ２格子１５のみを備えるタルボ干渉計を用いたＸ線タルボ撮影装置である場合も含む。また、その場合も下記と同様に説明される。
【００３５】
また、第１の実施例および後述する第２の実施例では、図３や後述する図４等に示すように、Ｘ線タルボ撮影装置が、上側に設けられたＸ線発生装置１１から下方の被写体Ｈに向けてＸ線を照射するように構成されている場合（すなわちＸ線タルボ撮影装置がいわゆる縦型の場合）について説明するが、本発明はこの場合に限定されず、Ｘ線発生装置１１からＸ線を水平方向に照射するように構成することも可能であり（例えば図１参照。すなわちＸ線タルボ撮影装置がいわゆる横型の場合）、Ｘ線を任意の方向に照射するように構成する場合も含む。
【００３６】
本実施形態の第１の実施例に係るＸ線タルボ撮影装置１は、図３に示すように、Ｘ線発生装置１１と、Ｇ０格子１２と、Ｇ１格子１４と、被写体台１３と、Ｇ２格子１５と、Ｘ線検出器１６と、支柱１７と、基台部１８と、コントローラー１９とを備えている。
【００３７】
Ｘ線発生装置１１は、例えば医療現場で広く一般に用いられているクーリッジＸ線源や回転陽極Ｘ線源等を備えている。また、それ以外のＸ線源（管球）を備えるように構成することも可能である。そして、本実施例では、Ｘ線発生装置１１からＸ線がコーンビーム状に（すなわちＸ線発生装置１１から遠ざかるほどＸ線が照射される範囲が広がるように）照射されるようになっている。なお、図３や後述する図４、図５におけるＣａは、Ｘ線発生装置１１から照射されるＸ線の光軸中心（すなわち照射されるＸ線の照射方向）を表す。
【００３８】
そして、本実施例では、Ｘ線発生装置１１の、Ｘ線の照射方向（すなわちｚ方向）下流側にＧ０格子１２が設けられている。そして、Ｘ線発生装置１１の振動がＧ０格子１２等に伝わらないようにするために、本実施例では、Ｇ０格子１２は、Ｘ線発生装置１１には取り付けられておらず、支柱１７に設けられた基台部１８に取り付けられた固定部材１２ａに取り付けられるようになっている。
【００３９】
そして、上記の固定部材１２ａには、Ｇ０格子１２のほか、Ｇ０格子１２を透過したＸ線の線質を変えるためのろ過フィルター（付加フィルター等ともいう。）１１２や、Ｘ線を照射して撮影を行う前に位置決めのためにＸ線の代わりに可視光を被写体Ｈに照射するための照射野ランプ１１３、照射されるＸ線（或いは可視光）の照射野を絞るための照射野絞り１１４等が取り付けられている。そして、Ｇ０格子１２等の周囲には、それらを保護するための第１のカバーユニット１２０が配置されている。
【００４０】
なお、図３では、照射野ランプ１１３が照射野絞り１１４のＸ線発生装置１１側に固定されているように記載されているが、Ｘ線発生装置１１からＸ線を照射する際に照射野ランプ１１３が邪魔になるため、実際には、照射野ランプ１１３をＸ線発生装置１１から照射されるＸ線を遮らない位置に退避させるための図示しない移動装置が設けられている。
【００４１】
また、Ｇ０格子１２の、Ｘ線の照射方向（すなわちｚ方向）下流側には、位相格子であるＧ１格子１４が配置されている。そして、Ｇ１格子１４の、Ｘ線の照射方向下流側には、被写体Ｈを撮影位置に配置するための被写体台１３や、吸収格子であるＧ２格子１５、Ｘ線検出器１６等が設けられている。なお、前述したように、Ｇ２格子１５は、Ｘ線発生装置１１から照射されＧ１格子１４を透過したＸ線がＧ１格子１４からｚ方向に一定の間隔で自己像を結ぶ位置に配置される。
【００４２】
そして、Ｇ２格子１５の近傍にＸ線検出器１６が配置され、上記のようにＧ２格子１５上に生じたモアレ画像ＭｏがＸ線検出器１６で撮影されるように構成される。そして、本実施例では、図３に示すように、患者の脚等がＧ１格子１４やＧ２格子１５、Ｘ線検出器１６等にぶつかったり触れたりしないようにしてＸ線検出器１６等を防護するために、第２のカバーユニット１３０が設けられている。
【００４３】
なお、Ｘ線検出器（ＦＰＤ）１６は、照射されたＸ線に応じて電気信号を生成する変換素子１６Ａ（後述する図５参照）が二次元状（マトリクス状）に配置されて構成されており、変換素子１６Ａにより生成された電気信号を画像信号として読み取るように構成されている。そして、本実施例では、Ｘ線検出器１６は、Ｇ２格子１５上に形成されるＸ線の像である上記のモアレ画像Ｍｏを変換素子１６Ａごとの画像信号として撮影するようになっている。
【００４４】
また、Ｘ線タルボ撮影装置１がいわゆる縞走査法を用いてモアレ画像Ｍｏを複数枚撮影するように構成されている場合には、Ｇ１格子１４とＧ２格子１５との相対位置を図１や図２におけるｘ方向（すなわちスリットＳの延在方向（ｙ方向）に直交する方向）にずらしながらモアレ画像Ｍｏを複数枚撮影する。そして、図示を省略するが、Ｇ１格子１４とＧ２格子１５との相対位置をｘ方向ずらすための移動装置等が設けられる。なお、Ｘ線タルボ撮影装置１でモアレ画像Ｍｏを１枚撮影し、それをフーリエ変換する等して微分位相画像等を再構成して生成するように構成されている場合には移動装置等を設ける必要はない。
【００４５】
コントローラー１９（図３参照）は、図示しないＣＰＵ（Central Processing Unit）やＲＯＭ（Read Only Memory）、ＲＡＭ（Random Access Memory）、入出力インターフェース等がバスに接続されたコンピューターで構成されている。なお、コントローラー１９を、本実施例のような汎用のコンピューターではなく、専用の制御装置として構成することも可能である。また、図示を省略するが、コントローラー１９には、入力手段や表示手段等の適宜の手段や装置が設けられている。
【００４６】
そして、コントローラー１９は、Ｘ線発生装置１１に管電圧や管電流、照射時間等を設定するなどＸ線タルボ撮影装置１に対する全般的な制御を行うようになっている。また、Ｘ線タルボ撮影装置１が縞走査法によりモアレ画像Ｍｏを複数枚撮影するように構成されている場合には、コントローラー１９は、上記の移動装置を制御して、Ｇ１格子１４（或いはＧ２格子１５或いはその両方）を所定量ずつ移動させるように制御する。
【００４７】
また、コントローラー１９は、Ｘ線検出器１６から送信されてきた１枚或いは複数枚のモアレ画像Ｍｏに基づいて自ら微分位相画像（図１３参照）等の再構成画像を再構成して生成したり、或いは図示しない外部の画像処理装置に、Ｘ線検出器１６から送信されてきた１枚或いは複数枚のモアレ画像Ｍｏを転送して再構成画像を生成させるように構成される。
【００４８】
［Ｘ線タルボ撮影装置の第２の実施例について］
次に、本実施形態に係るＸ線タルボ撮影装置１の第２の実施例について説明する。図４は、本実施形態に係るＸ線タルボ撮影装置の第２の実施例の全体構成を表す概略図である。なお、第２の実施例に係るＸ線タルボ撮影装置１＊において、第１の実施例に係るＸ線タルボ撮影装置１における機能と同じ機能を有する部材等については、第１の実施例で付した符号と同じ符号を付して説明する。
【００４９】
上記の第１の実施例に係るＸ線タルボ撮影装置１と同様に、第２の実施例に係るＸ線タルボ撮影装置１＊も、Ｘ線発生装置１１と、Ｇ０格子１２と、位相格子であるＧ１格子１４と、被写体台１３と、Ｘ線検出器１６と、コントローラー１９等を備えているが、第２の実施例では、吸収格子であるＧ２格子１５は設けられていない。
【００５０】
本実施例では、第１の実施例のようなＧ２格子１５を設ける代わりに、図５に示すように、Ｘ線検出器１６は、照射されたＸ線を別の波長の電磁波に変えて変換素子１６Ａに照射するシンチレーター１６Ｂを備えており、シンチレーター１６Ｂは、シンチレーター素材Ｓｃと非シンチレーター素材Ｓｎとが面方向に交互に形成されている。なお、シンチレーター素材Ｓｃの部分では、入射したＸ線が可視光等の別の波長の電磁波に変えられて図中下方の変換素子１６Ａに照射されるが、非シンチレーター素材Ｓｎの部分では、Ｘ線は電磁波に変えられずに素通りする。
【００５１】
そして、Ｘ線検出器１６のシンチレーター１６Ｂを、第１の実施例におけるＧ２格子１５と同様に、Ｇ１格子１４の自己像が像を結ぶｚ方向の位置に配置し、シンチレーター１６Ｂにおけるシンチレーター素材Ｓｃの延在方向（すなわち図５ではｙ方向）が、Ｇ１格子１４のスリットＳの延在方向に対して僅かに角度を持つように配置することで、上記の第１の実施例の場合と同様に、シンチレーター１６Ｂにモアレ縞のみからなるモアレ画像Ｍｏが現れる。
【００５２】
また、図４に示したように、Ｇ１格子１４の近傍に被写体Ｈが存在すると、被写体ＨによってＸ線の位相がずれる。そのため、モアレ画像Ｍｏのモアレ縞の被写体の部分に乱れが生じ、Ｘ線検出器１６のシンチレーター１６Ｂに、図１に示したものと同様に被写体Ｈにより乱れが生じたモアレ画像Ｍｏが現れる。
【００５３】
そのため、Ｘ線検出器１６内に二次元状に配列されている変換素子１６Ａでそれを撮影することで、本実施例に係るＸ線タルボ撮影装置１＊においても、第１の実施例に係るＸ線タルボ撮影装置１と同様にモアレ画像Ｍｏを的確に撮影することができる。そして、撮影されたモアレ画像Ｍｏを再構成することで微分位相画像（図１３参照）等の再構成画像を的確に生成することが可能となる。
【００５４】
なお、図５では、Ｘ線検出器１６のシンチレーター１６Ｂのシンチレーター素材Ｓｃが、Ｘ線発生装置１１からコーンビーム状に照射されるＸ線に平行に形成されている場合が示されている。これは、同じ線量のＸ線が入射した場合に、Ｘ線が斜入するシンチレーター１６Ｂの周縁部での発光強度を、シンチレーター１６Ｂの中央部での発光強度と同じにするためである。
【００５５】
すなわち、図６（Ａ）に示すように、シンチレーター１６Ｂの中央部ではＸ線がシンチレーター面に略垂直に入射するため、Ｘ線がシンチレーター素材Ｓｃを入射する際、Ｘ線がシンチレーター素材Ｓｃの全部を透過する状態になる。それに対し、例えば図６（Ｂ）に示すように、シンチレーター素材Ｓｃが仮にシンチレーター面に垂直に形成されていると、シンチレーターの周縁部でＸ線が斜入した場合、Ｘ線がシンチレーター素材Ｓｃの一部のみを透過する状態になり、図６（Ａ）の場合と同じ線量のＸ線が入射したとしても、図６（Ｂ）の場合にはシンチレーター素材Ｓｃでの発光量が少なくなってしまう。
【００５６】
しかし、図６（Ｃ）に示す本実施例の場合のように、シンチレーター素材ＳｃがＸ線発生装置１１からコーンビーム状に照射されるＸ線に平行に形成されていると、シンチレーター１６Ｂの周縁部でＸ線が斜入しても、Ｘ線がシンチレーター素材Ｓｃの全部を透過する状態になる。そのため、本実施例のように構成することで、同じ線量のＸ線が入射した場合に、Ｘ線が斜入するシンチレーター１６Ｂの周縁部での発光強度を、シンチレーター１６Ｂの中央部での発光強度と同じにすることが可能となる。
【００５７】
［Ｇ１格子がＸ線を遮らない位置に退避可能とされていることについて］
一方、上記の第１の実施例や第２の実施例では、位相格子であるＧ１格子１４は、Ｘ線発生装置１１から照射されるＸ線を遮らない位置に退避可能とされている。以下、この点について説明する。
【００５８】
なお、この構成については第１の実施例に係るＸ線タルボ撮影装置１においても第２の実施例に係るＸ線タルボ撮影装置１＊においても同じであり、以下、まとめて本実施形態に係るＸ線タルボ撮影装置１、１＊という。また、以下では、本実施形態に係るＸ線タルボ撮影装置１、１＊の作用についてもあわせて説明する。
【００５９】
本実施形態に係るＸ線タルボ撮影装置１、１＊は、図３や図４に示したように、Ｘ線をコーンビーム状に照射するＸ線発生装置１１を備えており、被写体Ｈは、位相格子であるＧ１格子１４とＧ２格子１５との間に配置されるように構成されている。
【００６０】
そのため、本実施形態に係るＸ線タルボ撮影装置１、１＊では、被写体ＨをＧ１格子１４の下側に配置して的確に撮影を行うことが可能となり、被写体台１３の高さがさほど高くならないため、被写体Ｈである患者が被写体台１３の脇に着座して手や腕等を被写体台１３上に載せて撮影を行ったり、或いは患者が被写体台１３上に脚等を載せて撮影を行うことが可能となり、患者に負担をかけることなく撮影を行うことが可能となる。
【００６１】
また、Ｇ１格子１４を大幅に大きくすることなく、Ｇ２格子１５やＸ線検出器１６のシンチレーター１６Ｂの大面積化を図ることが可能となるため、患者の手指の関節部分等は勿論、それよりも大きな膝や肘、肩等の関節部分の軟骨や軟部組織等を撮影することが可能となる等の様々なメリットがある。
【００６２】
［生じ得る問題点について］
しかし、上記のようにＧ１格子１４を被写体ＨよりもＸ線発生装置１１に近い側に設けると、以下のような種々の問題点が生じ得る。ここで、本実施形態に係るＸ線タルボ撮影装置１、１＊においてＧ１格子１４を被写体ＨよりもＸ線発生装置１１に近い側に設けることで生じ得る問題点について説明する。
【００６３】
よく知られているように、図１に示したように被写体ＨをＧ１格子１４のＸ線発生装置１１側に配置する場合（すなわちＸ線発生装置１１とＧ１格子１４との間に配置する場合）と同様に、本実施形態のように、被写体ＨをＧ１格子１４とＧ２格子１５との間に配置する場合でも、被写体ＨをＧ１格子１４に近づけるほどＸ線検出器１６で撮影されるモアレ画像Ｍｏの信号値が大きくなるため望ましい。
【００６４】
また、Ｇ２格子１５上やＸ線検出器１６のシンチレーター１６Ｂ上にモアレ画像Ｍｏを的確に形成するためには、位相格子であるＧ１格子１４の位置合わせをμｍオーダー或いはサブミクロンオーダーで行うことが必要になるが、上記のように、被写体ＨをＧ１格子１４の近傍に配置する場合、撮影に向けて被写体Ｈのポジショニング等を行う際に、被写体Ｈである患者の身体等がＧ１格子１４に接触したりぶつかったりしてしまい、Ｇ１格子１４の位置がずれたり傾いたりしてしまう可能性がある。
【００６５】
Ｘ線タルボ撮影装置１、１＊では、通常、Ｘ線発生装置１１から照射されたＸ線はＧ１格子１４の所でピントがあうように構成されている。そのため、Ｇ１格子１４の位置がずれたり傾いたりすると、Ｇ２格子１５上やＸ線検出器１６のシンチレーター１６Ｂ上にモアレ画像Ｍｏが形成されなくなってモアレ画像Ｍｏを撮影することができなくなったり、モアレ画像Ｍｏが適切に形成されなくなりモアレ画像Ｍｏを的確に撮影することができなくなったりする。そのため、微分位相画像等の再構成画像を生成できなくなったり、生成できたとしても正常でない再構成画像しか得られなくなるという問題が生じ得る。
【００６６】
また、このような問題が生じることを避けるため、放射線技師等の撮影者が被写体Ｈのポジショニングを行う際、被写体Ｈである患者の身体がＧ１格子１４に接触しないようにしながらＧ１格子１４の近傍で被写体Ｈのポジショニングを行うのでは、ポジショニングの作業を非常に行いづらくなってしまうという作業上の問題も生じ得る。
【００６７】
さらに、前述したように、ポジショニングの際、Ｘ線を照射する前にＸ線の代わりに照射野ランプ１１３（図３や図４参照）から可視光を被写体Ｈに照射して位置合わせ等が行われるが、上記のように被写体ＨのＸ線発生装置１１側にＧ１格子１４があると、照射野ランプ１１３から照射された可視光がＧ１格子１４で遮られてしまい被写体Ｈに照射されなくなるため、位置合わせ等を行うことができなくなるといった構造上の問題もある。
【００６８】
そこで、本実施形態に係るＸ線タルボ撮影装置１、１＊では、これらの問題を解消するために、上記のように、位相格子であるＧ１格子１４を、Ｘ線発生装置１１から照射されるＸ線を遮らない位置に退避させることができるように構成されている。以下、Ｇ１格子１４を退避させるための構成例を挙げて、具体的に説明する。
【００６９】
なお、以下では、Ｇ１格子１４を、Ｘ線発生装置１１から照射されるＸ線を少しも遮らないように構成した場合の構成例について説明するが、必ずしもこのように構成する必要はない。すなわち、第１の実施例のＸ線タルボ撮影装置１（図３参照）では、Ｇ１格子１４は、Ｘ線発生装置１１からＧ２格子１５のスリットＳが形成された部分（図２参照）に照射されるＸ線を遮らない位置に退避可能であればよく、退避位置は、Ｇ１格子１４が、Ｇ２格子１５のうちスリットＳが形成されていない格子の周縁部やＧ２格子１５の外側等に照射されるＸ線を遮る位置であってもよい。
【００７０】
また、第２の実施例のＸ線タルボ撮影装置１＊（図４、図５参照）では、Ｇ１格子１４は、Ｘ線発生装置１１からＸ線検出器１６のシンチレーター１６Ｂに照射されるＸ線を遮らない位置に退避可能であればよく、退避位置は、Ｇ１格子１４が、Ｘ線検出器１６のシンチレーター１６Ｂが形成されていない部分やＸ線検出器１６の外側等に照射されるＸ線を遮る位置であってもよい。
【００７１】
［構成例１：スライド方式］
Ｘ線を遮らない位置にＧ１格子１４を退避させる構成としては、例えば図７（Ａ）、（Ｂ）に示すように、Ｇ１格子１４を面方向（すなわち図中のｘｙ平面方向）に移動させるように構成することが可能である。なお、以下の各図においても同様であるが、図７（Ａ）は、Ｇ１格子１４が、Ｘ線発生装置１１からＸ線が照射される位置に投入された状態を表し、図７（Ｂ）は、Ｇ１格子１４が、Ｘ線発生装置１１から照射されるＸ線を遮らない位置に退避した状態を表す図である。
【００７２】
なお、以下の各図においても同様であるが、図７（Ａ）、（Ｂ）では、照射されるＸ線としてＸ線の光軸中心Ｃａのみが記載されているが、前述したように、実際には、Ｘ線はＸ線発生装置１１からコーンビーム状に照射される（図３や図４等参照）。
【００７３】
また、下記の各構成例においても同様であるが、前述したように、Ｇ１格子１４の位置合わせはμｍオーダーやサブミクロンオーダーで行う必要があるため、Ｇ１格子１４の退避動作は、放射線技師等の撮影者が手動等で行うのではなく、図示を省略するが、対象物（この場合はＧ１格子１４（構成例１〜３の場合）や後述する回動軸Ａ（構成例４の場合））を精密に移動させたり回動させることが可能な駆動機構で行うように構成される。
【００７４】
［構成例２：跳ね上げ方式］
また、例えば図８（Ａ）、（Ｂ）に示すように、Ｇ１格子１４を、Ｘ線発生装置１１から照射されるＸ線の照射方向（図中のＣａ参照。すなわちｚ方向）に直交する軸（ｘ方向）を中心に回動させることで、Ｘ線発生装置１１から照射されるＸ線を遮らない位置に退避させるように構成することも可能である。
【００７５】
その際、本実施形態では、Ｘ線発生装置１１からＸ線がコーンビーム状に照射されるため、図９（Ａ）に示すように、Ｇ１格子１４をＸ線発生装置１１から遠ざかる向きに回動させるように構成すると、Ｇ１格子１４がＸ線を遮らない位置に退避させるためには、Ｇ１格子１４を当該向きに９０°以上回動させなければならなくなる。
【００７６】
それに対し、図８（Ｂ）に示したようにＧ１格子１４をＸ線発生装置１１に向かう方向に回動させるように構成すると、図９（Ｂ）に示すように、Ｇ１格子１４を当該方向に９０°まで回動させなくてもＧ１格子１４がＸ線を遮らない位置に退避させることが可能となる。
【００７７】
このように、図８（Ｂ）や図９（Ｂ）に示したようにＧ１格子１４をＸ線発生装置１１に向かう方向に回動させるように構成すれば、Ｇ１格子１４を回動させなければならない回動角をより小さくすることが可能となる。また、このように構成すれば、Ｇ１格子１４を下方の被写体Ｈ（図３や図４参照）から遠ざかる方向に回動させることになり、被写体ＨがＧ１格子１４に接触したりぶつかったりしないようにすることが可能となり好ましい。
【００７８】
なお、この構成例２では、上記のように、Ｇ１格子１４をＸ線の照射方向に直交する軸を中心に回動させるが、この場合の「直交」や下記の「平行」等は、必ずしも正確に直交したり平行であったりする必要はなく、直交する方向や平行な方向からある程度の範囲内のずれは許容される。
【００７９】
［構成例３：面方向への回動方式］
また、例えば図１０（Ａ）、（Ｂ）に示すように、Ｇ１格子１４を、Ｘ線発生装置１１から照射されるＸ線の照射方向（図中のＣａ参照。すなわちｚ方向）に平行な軸を中心に回動させることで（すなわちＧ１格子１４を面方向に回動させることで）、Ｘ線発生装置１１から照射されるＸ線を遮らない位置に退避させるように構成することも可能である。
【００８０】
その際、例えば図１１（Ａ）の平面図に示すように、矩形状に形成されたＧ１格子１４の辺部を中心にＧ１格子１４を回動させるように構成すると、Ｇ１格子１４を例えば９０°回動させた場合には、Ｇ１格子１４がＸ線発生装置１１から照射されるＸ線（図中のαの領域参照）を遮らない位置に退避させることができない。
【００８１】
それに対し、図１１（Ｂ）に示すように、矩形状に形成されたＧ１格子１４の角部を中心にＧ１格子１４を回動させるように構成すると、Ｇ１格子１４を９０°程度回動させれば、Ｇ１格子１４を、Ｘ線（図中のαの領域参照）を遮らない位置に退避させることが可能となる。
【００８２】
そのため、この構成例３を採用する場合には、図１１（Ｂ）に示したように、矩形状に形成されたＧ１格子１４の角部を中心にＧ１格子１４を回動させるように構成することが好ましい。なお、図１０（Ｂ）では、Ｇ１格子１４を、その角部を中心に１８０°回動させた場合が示されている。
【００８３】
［構成例４：照射野ランプ等と同時に回動させる方式］
一方、例えば図１２（Ａ）、（Ｂ）に示すように、Ｇ１格子１４と前述した照射野ランプ１１３とを、回動軸Ａを軸として同軸に形成する。すなわち、Ｇ１格子１４と照射野ランプ１１３とをそれぞれ回動軸Ａに取り付けるように構成する。なお、回動軸Ａは、Ｘ線発生装置１１から照射されるＸ線の照射方向（図中のＣａ参照。すなわちｚ方向）に平行に設けられている。
【００８４】
そして、照射野ランプ１１３は、Ｘ線発生装置１１に近い側で回動軸Ａからそれに直交する方向に突出され、Ｇ１格子１４は、Ｘ線発生装置１１から遠い側で回動軸Ａからそれに直交する方向に突出されているが、Ｇ１格子１４と照射野ランプ１１３とが回動軸Ａから互いに反対側に突出するように取り付けられている。
【００８５】
そして、回動軸Ａを回動させて、Ｇ１格子１４と照射野ランプ１１３とを回動軸Ａを中心に同時に回動させることで、Ｇ１格子１４を、Ｘ線発生装置１１から照射されるＸ線を遮らない位置に退避させるように構成することも可能である。
【００８６】
この場合、図１２（Ａ）に示した状態で回動軸Ａを回動させると図１２（Ｂ）に示した状態になり、Ｘ線発生装置１１から照射されるＸ線を遮らない位置への位相格子１４の退避動作と、前述したように可視光を照射可能な位置への照射野ランプ１１３の投入動作とが同時に行われる。また、図１２（Ｂ）に示した状態で回動軸Ａを回動させると図１２（Ａ）に示した状態になり、Ｘ線が照射される位置へのＧ１格子１４の投入動作と、Ｘ線発生装置１１から照射されるＸ線を遮らない位置への照射野ランプ１１３の退避動作とが同時に行われるようになる。
【００８７】
そのため、このように構成すれば、Ｇ１格子１４と照射野ランプ１１３の投入動作や退避動作を１つの駆動機構を用いて行うことが可能となるため、それとは別に照射野ランプ１１３をＸ線発生装置１１から照射されるＸ線を遮らない位置に退避させるための移動装置を設ける必要がなくなる。また、Ｇ１格子１４と照射野ランプ１１３の投入動作や退避動作を同時に行うことが可能となるため、それらを別々に行う場合に比べて放射線技師等の撮影者の操作が楽になるといったメリットがある。
【００８８】
［効果］
以上のように、本実施形態に係るＸ線タルボ撮影装置１、１＊によれば、位相格子であるＧ１格子１４が、Ｘ線発生装置１１から照射されるＸ線を遮らない位置に退避可能とされているため、被写体Ｈを、Ｇ１格子１４とＧ２格子１５との間に配置するように構成する場合（図３や図４等参照）に発生し得る種々の問題を的確に解消することが可能となる。
【００８９】
すなわち、上記のようにＧ１格子１４を退避させるため、撮影に向けて被写体Ｈのポジショニング等を行う際に被写体Ｈである患者の身体等がＧ１格子１４に接触したりぶつかったりするといった問題を的確に解消することが可能となり、すなわちそのような事態が生じることを的確に防止することが可能となる。そのため、モアレ画像Ｍｏを的確に撮影することが可能となり、微分位相画像（図１３参照）等の再構成画像を的確に生成することが可能となる。
【００９０】
また、上記のようにＧ１格子１４を退避させれば、放射線技師等の撮影者が被写体Ｈのポジショニングを行う際にＧ１格子１４が邪魔になるといった問題を的確に解消することが可能となり、撮影者が、Ｇ１格子１４が邪魔にならない状態でポジショニングの作業を楽にかつ的確に行うことが可能となる。
【００９１】
さらに、上記のようにＧ１格子１４を退避させることで、ポジショニングの際に照射野ランプ１１３から可視光を被写体Ｈに照射して位置合わせ等を行う際に、照射野ランプ１１３から照射された可視光がＧ１格子１４で遮られてしまい被写体Ｈに照射されなくなるといった問題を的確に解消することが可能となり、Ｇ１格子１４に遮られずに照射野ランプ１１３から可視光を照射して的確に位置合わせ等を行うことが可能となる。
【００９２】
［被写体台を移動させることについて］
なお、前述したように、被写体ＨをＧ１格子１４に近づけるほどＸ線検出器１６で撮影されるモアレ画像Ｍｏの信号値が大きくなる。そのため、撮影時には、ポジショニングが完了した被写体Ｈを撮影位置に配置した状態で被写体台１３（図３や図４等参照）をＧ１格子１４に向かう方向（図３や図４等ではｚ方向）に移動させて、被写体ＨをＧ１格子１４に近づけることが好ましい。
【００９３】
一方、被写体Ｈのポジショニング時等には、被写体Ｈである患者の身体がＧ１格子１４に接触したりぶつかったりしないようにするために、被写体ＨをＧ１格子１４からできるだけ離しておいた方がよい。そのため、被写体Ｈのポジショニング時等には、被写体台１３をＧ１格子１４から離れる方向（図３や図４等ではｚ方向だが上記とは逆向き）に移動させて、被写体ＨをＧ１格子１４から遠ざけることが好ましい。
【００９４】
そのため、Ｘ線タルボ撮影装置１、１＊に、被写体台１３をＧ１格子１４の方向（Ｇ１格子１４に向かう方向とＧ１格子１４から離れる方向を含む。すなわち図３や図４等ではｚ方向）に移動させるための図示しない移動装置を設け、移動装置により、被写体台１３がＧ１格子１４の方向に移動可能とされていることが望ましい。
【００９５】
［プレ撮影について］
また、被写体Ｈのポジショニングの際、Ｘ線発生装置１１から弱いＸ線を照射してプレ撮影を行い、放射線技師等の撮影者が、撮影した画像を見ながら被写体Ｈのポジショニングを行う場合がある。そして、本実施形態に係るＸ線タルボ撮影装置１、１＊では、被写体Ｈのポジショニングの際には、上記のように、Ｇ１格子１４はＸ線発生装置１１から照射されるＸ線を遮らない位置に退避される。
【００９６】
そのため、放射線技師等の撮影者は、Ｇ１格子１４が邪魔にならない状態で、Ｘ線発生装置１１から弱いＸ線を照射してプレ撮影を行いながら被写体Ｈのポジショニングを行うことが可能となり、被写体Ｈのポジショニングを的確に行うことが可能となるとともに、被写体Ｈである患者の身体がＧ１格子１４に接触したりぶつかったりすることなく的確にポジショニングを行うことが可能となる。
【００９７】
なお、例えば、Ｘ線タルボ撮影装置１、１＊を使用していない時に、Ｇ１格子１４を退避位置に退避させておくように構成することも可能である。
【００９８】
また、本発明が上記の実施形態等に限定されず、本発明の趣旨を逸脱しない限り、適宜変更可能であることは言うまでもない。
【符号の説明】
【００９９】
１、１＊  Ｘ線タルボ撮影装置
１１  Ｘ線発生装置
１３  被写体台
１４  Ｇ１格子
１５  Ｇ２格子
１６  Ｘ線検出器
１６Ａ  変換素子
１６Ｂ  シンチレーター
１１３  照射野ランプ
Ａ  回動軸
Ｈ  被写体
Ｍｏ  モアレ画像
Ｓ  スリット
Ｓｃ  シンチレーター素材
Ｓｎ  非シンチレーター素材
【図１】
0006665504.tif 000002
【図２】
0006665504.tif 000003
【図３】
0006665504.tif 000004
【図４】
0006665504.tif 000005
【図５】
0006665504.tif 000006
【図６】
0006665504.tif 000007
【図７】
0006665504.tif 000008
【図８】
0006665504.tif 000009
【図９】
0006665504.tif 000010
【図１０】
0006665504.tif 000011
【図１１】
0006665504.tif 000012
【図１２】
0006665504.tif 000013
【図１３】
0006665504.tif 000014
【図１４】
0006665504.tif 000015